(57)【要約】【課題】  イオン発生器の放熱部の放熱を行ないながら効率的に送風を行なってイオンを放出することができるダクト構造を提供することを課題とする。【解決手段】  第１の排気口３０ａ−１を有する第１の空気流路Ａと、第１の排気口に近接して配置された第２の排気口３０ａ−２を有する第２の空気流路とが形成される。イオン発生器５０が第２の空気流路Ｂ中に設けられ、第２の空気流路Ｂは前側流路と後側流路とに分離される。前側流路と後側流路との間に微小流路が設けられる。微小流路は第２の空気流路Ｂの前側流路の流路抵抗より大きな流路抵抗を有する。【選択図】  図６
2012220056.tif 000002
【特許請求の範囲】
【請求項１】
第１の排気口を有する第１の空気流路と、
前記第１の排気口に近接して配置された第２の排気口を有する第２の空気流路と、
前記第２の空気流路中に設けられ、前記第２の空気流路を前側流路と後側流路とに分離するイオン発生器と、
前記前側流路と前記後側流路との間に設けられ、前記第２の空気流路の前記前側流路の流路抵抗より大きな流路抵抗を有する微小流路と
を有するダクト構造。
【請求項２】
請求項１記載のダクト構造であって、
前記第１の空気流路と前記第２の空気流路の前記後側流路とは、空気供給側で繋がっているダクト構造。
【請求項３】
請求項１又は２記載のダクト構造であって、
前記微小流路は、前記イオン発生器の一部と前記第２の空気流路を形成する壁面との間に形成された微小な空隙を含むダクト構造。
【請求項４】
請求項１乃至３のうちいずれか一項記載のダクト構造であって、
前記第２の空気流路の前記前側流路は、前記イオン発生器により生成されたイオンを含む空気が溜まる空間を含むダクト構造。
【請求項５】
請求項１乃至４のうちいずれか一項記載のダクト構造と、
前記ダクト構造を形成する筐体と、
前記筐体に設けられ、前記ダクト構造に空気流を供給する送風機と
を有するイオン発生装置。
【発明の詳細な説明】
【技術分野】
【０００１】
実施形態はイオン発生装置等の装置内で空気流を導くダクト構造に関する。
【背景技術】
【０００２】
空気中にイオンを放出して空気の質を調整するためのイオン発生装置が知られている。イオン発生装置は、イオン発生器で発生したイオンをダクトなどの空気流路に供給することで、イオンを含んだ空気を放出する（例えば、特許文献１参照）。
【先行技術文献】
【特許文献】
【０００３】
【特許文献１】特開２００９−３６４１１号公報
【発明の概要】
【発明が解決しようとする課題】
【０００４】
ダクト中を流れる空気にイオンを含ませるために、ダクト中にイオン発生器を配置すると、ダクト内での圧力損失が大きくなり、送風効率が悪化する。このため、大型の送風機を設ける必要が生じ、送風機の作動音や空気流による騒音も大きくなる。一方、イオン発生器をダクトの外側に配置すると、イオン発生器が占有するスペースをダクト外に確保しなければならず、イオン発生装置自体が大型となってしまう。
【０００５】
また、イオン発生器は空気を冷却して抽出した水分を用いてイオンを生成することが多く、空気を冷却するための冷却装置を有している。このため、イオン発生器は冷却装置の放熱部を含んでおり、放熱部に空気流を供給する必要がある。
【０００６】
そこで、イオン発生装置内で、冷却装置の放熱部の放熱を行ないながら効率的に送風を行なってイオンを放出できるダクト構造の開発が望まれている。
【課題を解決するための手段】
【０００７】
一実施形態によれば、第１の排気口を有する第１の空気流路と、前記第１の排気口に近接して配置された第２の排気口を有する第２の空気流路と、前記第２の空気流路中に設けられ、前記第２の空気流路を前側流路と後側流路とに分離するイオン発生器と、前記前側流路と前記後側流路との間に設けられ、前記第２の空気流路の前記前側流路の流路抵抗より大きな流路抵抗を有する微小流路とを有するダクト構造が提供される。
【０００８】
また、上述のダクト構造と、前記ダクト構造を形成する筐体と、前記筐体に設けられ、前記ダクト構造に空気流を供給する送風機とを有するイオン発生装置が提供される。
【発明の効果】
【０００９】
一実施形態によるダクト構造によれば、イオン発生器の放熱部の放熱を行ないながら効率的に送風を行なってイオンを放出することができる。
【図面の簡単な説明】
【００１０】
【図１】一実施形態によるダクト構造を有するイオン発生装置が組み込まれたディスプレイモニタ装置の斜視図である。
【図２】図１に示すディスプレイモニタ装置の分解斜視図である。
【図３】一実施形態によるダクト構造を有するイオン発生装置の斜視図である。
【図４】イオン発生装置の分解斜視図である。
【図５】イオン発生装置のカバーの内部を示す斜視図である。
【図６】イオン発生装置のカバーの内部を示す平面図である。
【図７】イオン発生装置のカバーの断面図である。
【発明を実施するための形態】
【００１１】
次に、実施形態について図面を参照しながら説明する。
【００１２】
図１は一実施形態によるダクト構造を有するイオン発生装置が組み込まれたディスプレイモニタ装置の斜視図である。イオン発生装置が組み込まれる装置はディスプレイモニタ装置に限られず、家庭やオフィスにある様々な電子機器など、どのような装置にも組み込むことができる。
【００１３】
ディスプレイモニタ装置１は、ベース部２と、ベース部２に取り付けられたディスプレイ部３とを含む。図１は、ディスプレイモニタ装置１を裏側から見た図であり、ディスプレイ部３の裏側が示されている。ディスプレイ部３は例えば液晶パネルを用いた表示装置である。ディスプレイ部３はその裏側においてベース部２に取り付けられている。
【００１４】
ベース部２は、テーブル４と、テーブル４の上に設けられた本体部５とを有する。本体部５は、ディスプレイ部３の液晶パネルを駆動して制御する回路が形成された電子回路基板やその他の付随する電気部品を内部に収容する。本体部５の上にはセキュリティカバー６が設けられており、ディスプレイモニタ装置１に設けられたコネクタ等を覆って隠している。セキュリティカバー６は、コネクタを介してディスプレイモニタ装置１が不正に使用されることを防止するために設けられカバーである。
【００１５】
図２はディスプレイモニタ装置１の分解斜視図である。イオン発生装置１０は本体部５に収容されている。イオン発生装置１０の上には本体部カバー５ａが設けられ、その上にセキュリティカバー６が取り付けられる。セキュリティカバー６には吸気口６ａが設けられ、吸気口６ａを介してセキュリティカバー６の内部空間に空気を供給することができる。
【００１６】
本体部５に収容されたイオン発生装置１０は、本体部カバー５ａの吸入孔５ｂを通じてセキュリティカバー６の内部空間の空気を吸い込み、吸い込んだ空気を内部で発生したイオンとともに放出する。イオンを含む空気は、本体部カバー５ａの吐出口５ｃを介してセキュリティカバー６の送風口６ａから周囲に放出される。
【００１７】
図３はイオン発生装置１０の斜視図であり、図４はイオン発生装置１０の分解斜視図である。イオン発生装置１０はベース２０とカバー３０を含む。ベース２０は板状の部材であり、その上にカバー３０が取り付けられる。後述のように、カバー３０内にはイオン発生器５０とダクト構造が設けられており、イオン発生器５０で発生したイオンはダクト構造を流れる空気と共にカバー３０から排出される。
【００１８】
カバー３０には送風機としてファン４０が取り付けられる。ファン４０を駆動して空気をカバー３０の内部に形成されたダクト構造（空気流路）に流すことができる。カバー３０内部のダクト構造に供給された空気は、カバー３０に形成された排気口３０ａから放出され、上述のように本体部カバー５ａの吐出口５ｃを介してセキュリティカバー６の送風口６ａから周囲に放出される。
【００１９】
カバー３０から基板取り付け部３０ｂが延在する。イオン発生装置１０の動作を制御する制御回路が設けられた制御基板６０及びその他の電気部品が基板取り付け部３０ｂに搭載される。制御基板６０はシールド６２により覆われてシールドされる。
【００２０】
図５はカバー３０の内部を示す斜視図であり、図６はカバーの内部を示す平面図である。また、図７はカバー３０の断面図である。
【００２１】
カバー３０の内部には、ファン４０により吸い込まれた空気が排気口３０ａから排気されるまでの間の空気流路としてダクト構造が形成されている。ダクト構造中には、イオン発生器５０が配置されており、ダクト構造中でイオンを発生する。
【００２２】
カバー３０内に形成されたダクト構造は、ファン４０により吸い込まれた空気の大部分が流れて排気口３０ａに向かう空気流路Ａ（図６において実線の矢印Ａで示される）と、イオン発生器５０を通過して発生したイオンとともに排気口３０ａに向かう空気流路Ｂ（図６において点線の矢印Ｂで示される）とを含む。
【００２３】
具体的には、カバー３０の内部空間は、ファン４０からの空気が流れる部分において隔壁３２により仕切られており、空気流路Ａと空気流路Ｂとが形成されている。隔壁３２は排気口３０ａを分割するように延在しており、排気口３０ａは、空気流路Ａ側で開口する空気排気口３０ａ−１と、空気流路Ｂ側で開口するイオン排気口３０ａ−２とに分割されている。
【００２４】
空気流路Ｂ内に配置されたイオン発生器５０は、イオン発生部５２と放熱フィン５４とを有する。イオン発生部５２にはペルチェ素子の低温部が設けられており、空気流路Ｂを流れる空気を冷却して水分を凝結させる。ペルチェ素子で生成された水分は、放電により分解されてイオンが生成される。ペルチェ素子の高温部は放熱フィン５４に接続されている。
【００２５】
イオン発生器５０は、放熱フィン５４とベース２０（カバー３０がベース２０に取り付けられた状態で）との間に微小な空隙が形成されるように、空気流路Ｂ内に配置されている。すなわち、空気流路Ｂはこの微小な空隙を含むものであり、空気流路Ｂを流れる空気量は、この微小な空隙により極端に絞られる。すなわち、この微小な空隙は空気流路Ｂにおいて非常に大きな流路抵抗を与える部分であり、ファン４０により発生する空気流の動圧だけでは、この微小な空隙に空気を流通させることはできない。
【００２６】
ここで、空気流路Ｂはイオン排気口３０ａ−２に繋がっており、空気流路Ｂ内のイオンを含む空気が、空気流路Ａの空気排気口３０ａ−１から排気される多量の空気に引っ張られることで、イオン発生器５０の前側の空気流路Ｂには負圧が発生する。イオン発生器５０の前側の空気流路Ｂとは、上述の微小な空隙とイオン排気口３０ａ−２との間の空気流路Ｂである。この負圧が微小な空隙の前側に生じることにより、イオン発生器５０の後側の空気流路Ｂの空気は、微小な空隙を流れてイオン発生器５０の前側の空気流路Ｂに流れ込むことができる。したがって、イオン発生器５０の前側に流れ込むことのできる空気は極微量である。
【００２７】
なお、本実施形態では放熱フィン５４とベース２０との間に上述の微小な空隙を形成してイオン発生部５２の後側に流路抵抗の大きな部分を設けているが、例えば放熱フィン５４に微小な貫通孔を設けるなどの他の構成で流路抵抗の大きな部分を形成することもできる。
【００２８】
上述のように、イオン発生器５０のイオン発生部５２では、微小な空隙を通過して入ってきた空気の水分が放電により電離してイオンが発生する。このとき、水分の電離によりオゾンも発生する。
【００２９】
イオン発生部５２の前側には小さな開口が形成された隔壁３４が設けられ、その前側には同様に小さな開口が形成された隔壁３６が設けられている。したがって、イオン発生部５２で発生したイオンとオゾンを含む空気は、まず、隔壁３４と隔壁３６との間に形成された空間Ｓ１に溜まる。そして、空間Ｓ１に溜まったイオンとオゾンを含む空気は、空気流路Ａの空気排気口３０ａ−１から排出される多量の空気により生成される負圧により、隔壁３６の開口から徐々に空間Ｓ２に移動する。そして、イオンとオゾンを含む空気は、空気排気口３０ａ−１から排出される多量の空気により引っ張られて、空間Ｓ２からイオン排気口３０ａ−２を通ってイオン装置１０の外部へと放出される。
【００３０】
ここで、イオン発生部５２で発生するオゾンは活性が強く、イオン発生装置１０から放出されることは好ましく無い。そこで、本実施形態では、上述のように、イオン発生部５２で発生したイオンとオゾンを含む空気が、空間Ｓ１，Ｓ２を通りながら徐々にイオン排気口３０ａ−２から出て行くようにしている。空間Ｓ１，Ｓ２を通る間にオゾンの大部分は分解されて酸素となってしまい、イオン排気口３０ａ−２から放出されるときには、オゾンはほとんど分解されているため、活性なオゾンがイオン発生装置１０から放出されることが防止されている。
【００３１】
オゾン発生部５２では、放電により水分を電離してイオンを生成しており、放電の際の音（放電音）がイオン発生装置１０から放出されると騒音となるおそれがある。しかし、本実施形態では、小さな開口を有する隔壁３４，３６にて空間Ｓ１をイオン発生部５２の前側に形成しているので、イオン発生部５２で発生する放電音を空間Ｓ１に閉じこめて減衰させることができる。したがって、イオン排気口３０ａ−２から出ていく放電音のレベルを低減することができる。また、空間Ｓ１にスポンジ等の遮音材を配置すれば、放電音のレベルをさらに低減することができる。
【００３２】
以上のように、本実施形態によるイオン発生装置１０のダクト構造は、隔壁３２により分離された空気流路Ａと空気流路Ｂを含み、空気流路Ｂにイオン発生器５０が配置される。空気流路Ｂは、イオン発生器５０から排気口３０ａ−１までの前側流路と、ファン４０からイオン発生器５０までの後側流路とに分離される。すなわち、空気流路Ｂはイオン発生器５０により前側流路と後側流路とに分離され、前側流路と後側流路とは微小な空隙（微小流路）で接続される。微小な空隙は非常に大きな流路抵抗を有しており、微小な空隙を通る空気量は微量である。したがって、流路抵抗が非常に大きい微小な空隙を通じて、イオン発生器５０のイオン発生部５２が設けられた前側流路に微量の空気が供給される。これにより、イオン発生器５２で生成されたイオンを、前側流路の空間Ｓ１，Ｓ２に溜めながら徐々に放出することができ、イオン排気口３０ａ−２から出ていくイオンを含んだ空気中のオゾン濃度を十分に低減することができる。また、ファン４０で吸入した多量の空気がイオン発生器５０の放熱フィン５４を通過しながら空気流路Ａに流れるので、ペルチェ素子の高温側に接続された放熱フィン５４を効率的に冷却することができる。これにより、ペルチェ素子の冷却効果を高めることができる。
【００３３】
以上のように、本明細書は以下の事項を開示する。
（付記１）
第１の排気口を有する第１の空気流路と、
前記第１の排気口に近接して配置された第２の排気口を有する第２の空気流路と、
前記第２の空気流路中に設けられ、前記第２の空気流路を前側流路と後側流路とに分離するイオン発生器と、
前記前側流路と前記後側流路との間に設けられ、前記第２の空気流路の前記前側流路の流路抵抗より大きな流路抵抗を有する微小流路と
を有するダクト構造。
（付記２）
付記１記載のダクト構造であって、
前記第１の空気流路と前記第２の空気流路の前記後側流路とは、空気供給側で繋がっているダクト構造。
（付記３）
付記１又は２記載のダクト構造であって、
前記微小流路は、前記イオン発生器の一部と前記第２の空気流路を形成する壁面との間に形成された微小な空隙を含むダクト構造。
（付記４）
付記１乃至３のうちいずれか一項記載のダクト構造であって、
前記第２の空気流路の前記前側流路は、前記イオン発生器により生成されたイオンを含む空気が溜まる空間を含むダクト構造。
（付記５）
付記４記載のダクト構造であって、
前記空間は、開口を有する隔壁により、前記イオン発生器側の第１の空間と前記第２の排気口側の第２の空間に分離されているダクト構造。
（付記６）  
付記１乃至５のうちいずれか一項記載のダクト構造であって、
前記イオン発生器は放熱フィンを有し、該放熱フィンは前記第２の空気流路の前記後側流路に配置されているダクト構造。
（付記７）
付記１乃至６のうちいずれか一項記載のダクト構造と、
前記ダクト構造を形成する筐体と、
前記筐体に設けられ、前記ダクト構造に空気流を供給する送風機と
を有するイオン発生装置。
（付記８）
付記７記載のイオン発生装置であって、
前記第１の空気流路と前記第２の空気流路とは、前記筐体に形成された隔壁により分離されているイオン発生装置。
【符号の説明】
【００３４】
１  ディスプレイモニタ装置
２  ベース部
３  ディスプレイ部
４  テーブル
５  本体部
５ａ  本体部カバー
５ｂ  吸入孔
５ｃ  吐出口
６  セキュリティカバー
６ａ  吸気口
６ｂ  送風口
１０  イオン発生装置
２０  ベース
３０  カバー
３０ａ  排気口
３０ａ−１  空気排気口
３０ａ−２  イオン排気口
３０ｂ  基板取り付け部
３２，３４，３６  隔壁
４０  ファン
５０  イオン発生器
５２  イオン発生部
５４  放熱フィン
６０  制御基板
６２  シールド
【図３】
2012220056.tif 000003
【図４】
2012220056.tif 000004
【図５】
2012220056.tif 000005
【図６】
2012220056.tif 000006
【図７】
2012220056.tif 000007
【図１】
2012220056.tif 000008
【図２】
2012220056.tif 000009